(57)【特許請求の範囲】
【請求項１】
吸収コア、前記吸収コアよりも肌面側に配置された肌側シート、及び前記吸収コアよりも非肌面側に配置された非肌側シートを有する吸収性物品であって、
前記吸収性物品の非肌面に向けて配置され、暗所において表示される暗所表示部を有し、
前記暗所表示部は、前記吸収性物品の廃棄時に前記吸収性物品を丸めた状態で維持する後処理部材に設けられており、
前記吸収性物品は、前記暗所表示部の塗料と異なる塗料を有する通常表示部を有し、
前記後処理部材には、前記暗所表示部と前記通常表示部が設けられている、吸収性物品。
【請求項２】
吸収コア、前記吸収コアよりも肌面側に配置された肌側シート、及び前記吸収コアよりも非肌面側に配置された非肌側シートを有する吸収性物品であって、
前記吸収性物品の非肌面に向けて配置され、暗所において表示される暗所表示部を有し、
前記暗所よりも明るい環境において、前記暗所表示部と、前記暗所表示部の周囲に配置された周囲領域と、の色差ΔＥは、２０．０以下である、吸収性物品。
【請求項３】
吸収コア、前記吸収コアよりも肌面側に配置された肌側シート、及び前記吸収コアよりも非肌面側に配置された非肌側シートを有する吸収性物品であって、
前記吸収性物品の非肌面に向けて配置され、暗所において表示される暗所表示部を有し、
前記暗所表示部は、前記吸収性物品から分離可能であり、
前記暗所表示部は、分離された前記暗所表示部を取り付け可能な取り付け部材と関連する図柄を有する、吸収性物品。
【請求項４】
吸収コア、前記吸収コアよりも肌面側に配置された肌側シート、及び前記吸収コアよりも非肌面側に配置された非肌側シートを有する吸収性物品であって、
前記吸収性物品の非肌面に向けて配置され、暗所において表示される暗所表示部を有し、
前記吸収性物品は、前記暗所表示部の塗料と異なる塗料を有する通常表示部を有し、
前記暗所表示部は、前記通常表示部の図柄と関連性のある図柄を含む、吸収性物品。
【請求項５】
前記通常表示部は、蛍光剤及び蓄光剤を含まない塗料によって構成されている、請求項１又は請求項４に記載の吸収性物品。
【請求項６】
前記暗所表示部の少なくとも一部には、蓄光剤が付されている、請求項１から請求項５のいずれか１項に記載の吸収性物品。
【請求項７】
前記暗所表示部の少なくとも一部には、波長３１５−４００ｎｍの長波長の紫外線の照射によって蛍光する蛍光剤が付されている、請求項１から請求項５のいずれか１項に記載の吸収性物品。
【請求項８】
前記暗所表示部は、前記吸収コアの非肌面又は前記非肌側シートに設けられている、請求項１から請求項７のいずれか１項に記載の吸収性物品。
【請求項９】
前記非肌側シートは、液不透過性のフィルムを有し、
前記暗所表示部は、前記フィルムの非肌面に設けられている、請求項１から請求項７のいずれか１項に記載の吸収性物品。
【請求項１０】
前記暗所表示部は、前記吸収コアと重なる領域に設けられている、請求項１から請求項９のいずれか１項に記載の吸収性物品。
【請求項１１】
前記暗所表示部は、股下域の前後方向の中心よりも前側に位置する前側域に配置されている、請求項１から１０のいずれか１項に記載の吸収性物品。
【請求項１２】
請求項１から請求項１１のいずれか１項に記載の吸収性物品と、前記吸収性物品を複数収容した収容体と、を含むパッケージであって、
前記吸収性物品は、第１吸収性物品と、第２吸収性物品と、を有し、
前記第１吸収性物品の前記暗所表示部の図柄と、前記第２吸収性物品の前記暗所表示部の図柄と、は異なる、パッケージ。
【請求項１３】
請求項１から請求項１１のいずれか１項に記載の吸収性物品と、前記吸収性物品を複数収容した収容体と、を含むパッケージであって、
前記収容体は、暗所において表示される収容暗所表示部を有する、パッケージ。
【請求項１４】
前記収容暗所表示部は、前記暗所表示部と関連する図柄を有する、請求項１３に記載のパッケージ。
【発明の詳細な説明】
【技術分野】
【０００１】
本発明は、使い捨ておむつ等の吸収性物品及びパッケージに関する。
【背景技術】
【０００２】
使い捨ておむつ等の吸収性物品は、昼夜問わずに使用することがあり、就寝中に使用する場合にあっては、一般的に、就寝の直前に排泄を行い、当該排泄後に着用又は交換される。また、吸収性物品の着用者は、乳幼児、大人等、幅広い世代に使用されており、特に乳幼児にあっては、就寝場所である暗所に対する抵抗があり、就寝に繋がる排泄を円滑に行えなかったり、円滑に就寝場所に行くことができなかったりして、入眠への一連の流れが日々円滑に行えないことがあった。着用者の感情に起因して入眠への一連の流れが行えず、着用者のみならず装着補助者（例えば、母親）の精神的及び身体的な負担が大きくなることがあった。
【０００３】
例えば、特許文献１には、吸収性物品の着用者の感情的な状態を推定する推定装置が提供されている。推定装置は、乳幼児が着用する物品に取付けられた検出装置により乳幼児の腹部から検出された音を取得する取得部と、取得部により取得された音が有する特徴に基づいて、乳幼児の感情的な状態を推定する推定部と、を有する。
【先行技術文献】
【特許文献】
【０００４】
【特許文献１】特開２０２１−００２２３５号公報
【発明の概要】
【０００５】
特許文献１によれば、当該推定装置を用いることにより、乳幼児の感情的な状態を推定することができる。装着補助者は、例えば、乳幼児の機嫌が悪いといった着用者の感情を取得でき、装着補助者の負担を軽減できる。しかし、出願人が鋭意研究した結果、入眠への一連の流れを日々円滑に行うことにより、着用者及び装着補助者の負担を軽減できるだけなく、着用者の良質な睡眠を得やすいことがわかった。そのため、本発明は、入眠への一連の流れを日々円滑に行い易くすることを目的としており、より詳細には、就寝場所である暗所に対する着用者の抵抗を低減し、入眠への一連の流れを日々円滑に行い易い吸収性物品を提供することを目的とする。
【課題を解決するための手段】
【０００６】
一態様に係る吸収性物品は、吸収コア、吸収コアよりも肌面側に配置された肌側シート、及び前記吸収コアよりも非肌面側に配置された非肌側シートを有する。吸収性物品は、前記吸収性物品の非肌面に向けて配置され、暗所において表示される暗所表示部を有する。
【０００７】
一態様に係るパッケージは、吸収性物品と、前記吸収性物品を複数収容した収容体と、を含む。前記複数の吸収性物品は、第１吸収性物品と、前記第２吸収性物品と、を有する。前記第１吸収性物品の前記暗所表示部の図柄と、前記第２吸収性物品の前記暗所表示部の図柄と、は異なる。また、他態様に係るパッケージは、吸収性物品と、前記吸収性物品を複数収容した収容体と、を含む。収容体は、暗所において表示される収容暗所表示部を有する。
【図面の簡単な説明】
【０００８】
【図１】図１は、実施形態に係る吸収性物品の模式背面図である。
【図２】図２は、実施形態に係る吸収性物品１の展開状態の非肌面側から見た模式平面図である。
【図３】図３は、図２に示すＡ−Ａ線に沿った模式断面図である。
【図４】図４（ａ）は、パッケージ１００を示した図であり、図４（ｂ）は、変形例にかかる取り付け部材を示した図である。
【発明を実施するための形態】
【０００９】
（１）実施形態の概要
本明細書及び添付図面の記載により、少なくとも以下の事項が明らかとなる。
一態様に係る吸収性物品は、吸収コア、吸収コアよりも肌面側に配置された肌側シート、及び前記吸収コアよりも非肌面側に配置された非肌側シートを有する。吸収性物品は、前記吸収性物品の非肌面に向けて配置され、暗所において表示される暗所表示部を有する。本態様によれば、着用者は、暗所表示部を視認できる楽しみを得ることができ、暗所である就寝場所に対する抵抗が少なくなる。より詳細には、着用者は、暗所表示部を視認することを楽しみにとして、明るい就寝場所に行った後に当該就寝場所を暗所にすることを怖がらなくなったり、暗所表示部を視認することをご褒美であると考え、就寝場所に行くことを嫌がなくなったりする。よって、着用者が入眠への一連の流れを日々円滑に行い易くなる。その結果、着用者の良質な睡眠を得やすくなり、また装着補助者の精神的及び身体的な負担を低減して、装着補助者のストレスを低減できる。
【００１０】
好ましい一態様によれば、記暗所表示部の少なくとも一部には、蓄光剤が付されている。本態様によれば、暗所表示部が暗所において発光し、着用者等が暗所表示部を認識できる。
【００１１】
好ましい一態様によれば、前記暗所表示部の少なくとも一部には、波長３１５−４００ｎｍの長波長の紫外線の照射によって蛍光する蛍光剤が付されている。本態様によれば、波長３１５−４００ｎｍの長波長の紫外線の照射によって暗所表示部が暗所において発光し、着用者等が暗所表示部を認識できる。
【００１２】
好ましい一態様によれば、前記暗所表示部は、前記吸収コアの非肌面又は前記非肌側シートに設けられている。本態様によれば、吸収性物品の非肌面側から暗所表示部を視認し易い。着用者及び装着補助者は、吸収性物品の装着操作中及び着用時に暗所表示部をより視認し易くなる。
【００１３】
好ましい一態様によれば、前記非肌側シートは、液不透過性のフィルムを有する。前記暗所表示部は、前記フィルムの非肌面に設けられている。吸収性物品を構成するシートにおいて比較的剛性の高いフィルムに暗所表示部を設けることで、暗所表示部のたくれやよれを抑制し、暗所表示部の視認性を確保できる。
【００１４】
好ましい一態様によれば、前記暗所表示部は、前記吸収性物品の廃棄時に前記吸収性物品を丸めた状態で維持する後処理部材に設けられている。後処理部材は、吸収性物品の最も非肌面に配置されており、着用者等の注意を引きやすい。また、後処理部材は、丸めた状態の吸収性物品の形状を維持するために、一般的に剛性の高い資材によって構成されることが多い。当該剛性の高い資材からなる後処理部材に暗所表示部を設けることにより、暗所表示部の視認性を高めることができる。
【００１５】
好ましい一態様によれば、前記暗所表示部は、前記吸収コアと重なる領域に設けられている本態様によれば、吸収性物品において比較的剛性が高い吸収コアと重なる領域に暗所表示部を設けることで、暗所表示部のたくれやよれを抑制し、暗所表示部の視認性を確保できる。
【００１６】
好ましい一態様によれば、前記暗所表示部は、股下域の前後方向の中心よりも前側に位置する前側域に配置されている。本態様によれば、着用者が着用状態で暗所表示部を視認しやすい。
【００１７】
好ましい一態様によれば、前記暗所よりも明るい環境において、前記暗所表示部と、前記暗所表示部の周囲に配置された周囲領域と、の色差ΔＥは、２０．０以下である。本態様によれば、暗所よりも明るい環境において、暗所表示部と周囲領域の色差が２０以下であるため、着用者等は、暗所表示部と周囲領域を別々の領域として認識せずに、暗所表示部と周囲領域を一体化して認識し易い。そのため、暗所において、暗所表示部がいきなり現れたような心証を得ることができ、暗所表示部に対する興味や楽しみをより高めることができる。
【００１８】
好ましい一態様によれば、前記暗所表示部は、前記吸収性物品から分離可能である。本態様によれば、暗所表示部を吸収性物品から分離することにより、吸収性物品に着用した状態で暗所表示部を楽しむだけでなく、別の場所に暗所表示部を配置して暗所表示部を楽しむことも可能となる。暗所表示部の利用方法の選択肢が増え、着用者に適した方法で入眠への一連の流れを円滑に行い易くなる。
【００１９】
好ましい一態様によれば、分離された前記暗所表示部を取り付け可能な取り付け部材と関連する図柄を有する。本態様によれば、取り付け部材に暗所表示部を取り付けることにより、分離した暗所表示部を収集したり、暗所表示部を取り付けたりする楽しみを得ることができる。また、吸収性物品の使用後に暗所表示部を収集して溜めていくこともできる。暗所における暗所表示部の視認性を楽しみ続けられる。また、特に乳幼児の着用者に対しては、一連の入眠への流れを持続した頑張りを実感させ易くなり、着用者の自信に繋がり、より安心して入眠への流れを行いやすくなる。
【００２０】
好ましい一態様によれば、前記暗所表示部の塗料と異なる塗料を有する通常表示部を有する。暗所表示部は、前記通常表示部の図柄と関連性のある図柄を含む。本態様によれば、通常表示部は、暗所表示部と異なる塗料を有しており、暗所表示部と視認性（例えば、発光度）が異なる。そのため、着用者等は、異なる視認性の通常表示部と暗所表示部によって楽しみを得ることができる。例えば、暗所においては、暗所表示部を視認し、暗所以外の場所では、通常表示部を視認して楽しみを得たり、通常表示部と暗所表示部の両方が見える環境にあっては、図柄の組み合わせによって飽きずに楽しんだりできる。
【００２１】
一態様に係るパッケージは、吸収性物品と、前記吸収性物品を複数収容した収容体と、を含む。前記複数の吸収性物品は、第１吸収性物品と、前記第２吸収性物品と、を有する。前記第１吸収性物品の前記暗所表示部の図柄と、前記第２吸収性物品の前記暗所表示部の図柄と、は異なる。当該パッケージによれば、複数の図柄を有することにより、着用者は暗所表示部に飽きずに興味を持ち続け易くなり、毎日の入眠への流れを繰り返し行い易くなる。
【００２２】
他態様に係るパッケージは、吸収性物品と、前記吸収性物品を複数収容した収容体と、を含む。収容体は、暗所において表示される収容暗所表示部を有する。本態様によれば、収容体を就寝場所においておくことで、収容暗所表示部による楽しみを得ることができる。
【００２３】
好ましい一態様によれば、収容暗所表示部は、前記暗所表示部と関連する図柄を有する。本態様によれば、収容暗所表示部と暗所表示部が関連する図柄であるため、それぞれ独立した装飾効果のみならず、相乗的な装飾効果を発揮したり、同一の世界観を表現したり、着用者がより楽しみやすい。
【００２４】
（２）第１実施形態に係る吸収性物品
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。図１は、第１実施形態に係る吸収性物品１の模式背面図である。図２は、実施形態に係る吸収性物品１の展開状態の非肌面側Ｔ２から見た模式平面図である。図２に示す模式平面図は、後述するサイド接合部７０を展開した状態において吸収性物品１を皺が形成されない状態まで伸長させた伸長状態を示している。図３は、図２に示すＡ−Ａ線に沿った模式断面図である。模式断面図において、説明の便宜上、各部材が厚さ方向Ｔにおいて離間していることがあるが、実際の製品においては厚さ方向Ｔに接している。ここで、「肌面側」は、使用中に着用者の肌に面する側に相当する。「非肌面側」は、使用中に着用者の肌とは反対に向けられる側に相当する。吸収性物品１は、互いに直交する前後方向Ｌ、幅方向Ｗ、及び厚さ方向Ｔを有する。
【００２５】
本発明に係る吸収性物品は、着用対象が着用し、着用対象の体液を吸収できる吸収性物品である。着用対象は、乳幼児に限られず、高齢者等、種々の世代であってよい。吸収性物品は、尿を吸収するおむつ、トレーニングパンツ、及び失禁パッドであってもよい。本実施の形態に係る吸収性物品は、パンツ型の使い捨ておむつであるが、吸収性物品は、テープ型の吸収性物品であってもよい。吸収性物品１は、前胴回り域Ｓ１と、後胴回り域Ｓ２と、股下域Ｓ３と、を有する。前胴回り域Ｓ１は、着用対象の前胴回り（腹部）に対向する領域である。後胴回り域Ｓ２は、着用対象の後胴回り（背部）に対向する領域である。股下域Ｓ３は、着用対象の股下に位置し、前胴回り域Ｓ１と後胴回り域Ｓ２との間に配置された領域である。図１に示すように、幅方向Ｗにおける前胴回り域Ｓ１の端部と、幅方向Ｗにおける後胴回り域Ｓ２の端部と、を接合したサイド接合部７０が設けられていてよい。サイド接合部７０は、前胴回り域Ｓ１の外側部と、後胴回り域Ｓ２の外側部とを互いに係止した部分によって規定される。図１に示すように、サイド接合部７０が形成された状態で、吸収性物品１には、着用対象の胴が通され、着用象の胴回り囲むウエスト開口６２と、着用対象の脚がそれぞれ挿入され、着用対象の脚回り囲む一対の脚回り開口６６と、が形成される。ウエスト開口６２は、前胴回り域Ｓ１の前端縁Ｓ１Ｆと、後胴回り域Ｓ２の後端縁Ｓ２Ｒとによって規定されていてよい。
【００２６】
ここで、図２は、サイド接合部７０における接合を解除し、吸収性物品１を展開した状態を示している。サイド接合部７０は、後述する前外装体５１及び後外装体５２のそれぞれにおいて、前後方向Ｌに沿って延びていてよい。パンツ型の吸収性物品１においては、前胴回り域Ｓ１と股下域Ｓ３との境界は、前外装体５１に設けられたサイド接合部７０の後端縁によって規定されていてよい。同様に、後胴回り域Ｓ２と股下域Ｓ３との境界は、後外装体５２に設けられたサイド接合部７０の前端縁によって規定されていてよい。なお、股下域Ｓ３は、脚回り開口６６が設けられた領域であってもよい。
【００２７】
なお、本発明における外側部とは、幅方向Ｗにおける外縁を含む幅方向Ｗに一定の範囲を占める部分であり、外側縁とは、幅方向Ｗにおける外縁である。本発明における内側部とは、幅方向Ｗにおける内縁を含む幅方向Ｗに一定の範囲を占める部分であり、内側縁とは、幅方向Ｗにおける内縁である。また、本発明における前端部及び後端部は、前後方向Ｌにおける縁を含む前後方向Ｌに一定の範囲を占める部分であり、前端縁及び後端縁は、前後方向Ｌにおける縁である。外端部は、前端部及び後端部を含んでおり、外端縁は、前端縁及び後端縁を含んでいる。
【００２８】
吸収性物品１は、吸収コア２１、吸収コア２１よりも肌面側Ｔ１に配置された肌側シート３０、及び吸収コア２１よりも非肌面側Ｔ２に配置された非肌側シート４０を有する。肌側シート３０は、吸収コア２１と重なる領域においては、吸収コア２１の肌面側Ｔ１に配置されてよく、吸収コア２１と重ならない領域においては、着用者に当接するように配置されていてよい。非肌側シート４０は、吸収コア２１と重なる領域においては、吸収コア２１の非肌面側Ｔ２に配置されてよく、吸収コア２１と重ならない領域においては、吸収性物品１の非肌面を構成してよい。
【００２９】
吸収性物品１は、吸収コア２１を有する吸収性本体１５と、外装体５０と、を有していてよい。外装体５０は、吸収コア２１よりも非肌面側Ｔ２において、少なくとも着用対象の胴回りを覆う。外装体５０は、吸収性本体１５と厚さ方向Ｔに重なっている。外装体５０は、前胴回り域Ｓ１に配置された前外装体５１と、後胴回り域Ｓ２に配置された後外装体５２と、を有してよい。図３に示すように、前外装体５１及び後外装体５２は、例えば不織布のような外装シートを複数有してよい。外装シートは、第１外装シート５５と、第１外装シート５５の非肌面側Ｔ２に位置する第２外装シート５６と、を有してよい。第１外装シート５５と第２外装シート５６は、折り返された同一のシートによって構成されていてもよいし、別体のシートによって構成されていてもよい。外装シートは、吸収性本体１５よりも非肌面側Ｔ２に配置されてよい。第１外装シート５５と第２外装シート５６の間には、幅方向Ｗに伸縮可能な弾性部材５７が配置されてよい。外装シート（第１外装シート５５と第２外装シート５６）は、本発明の非肌側シート４０を構成してよい。
【００３０】
吸収性本体１５は、前胴回り域Ｓ１、後胴回り域Ｓ２及び股下域Ｓ３にわたって配置されてよい。吸収性本体１５は、前外装体５１及び後外装体５２とは別体として構成され、前胴回り域Ｓ１及び後胴回り域Ｓ２において、それぞれ前外装体５１及び後外装体５２と接合されていてよい。吸収性本体１５は、吸収コア２１と、吸収コア２１よりも肌面側Ｔ１に配置されたトップシート２５と、吸収コア２１よりも非肌面側Ｔ２に配置されたバックシート２７と、を少なくとも有してよい。吸収コア２１は、例えば粉砕パルプもしくは高吸収性ポリマー（ＳＡＰ）、又はこれらの混合物を含んでいてよい。吸収コア２１は、吸収コア２１とは別体のコアラップシート２２によって覆われていてよい。コアラップシート２２としては、ティッシュを例示できる。コアラップシート２２は、吸収コア２１の肌面側に配置された第１コアラップシート２２Ａと、吸収コア２１の非肌面側Ｔ２に配置された第２コアラップシート２２Ｂと、を有してよい。トップシート２５は、液透過性のシートであってよい。バックシート２７は、液不透過性の防漏シート２７Ａと、防漏シート２７Ａよりも非肌面側Ｔ２に配置された本体外側シート２７Ｂと、を有してよい。防漏シート２７Ａは、フィルムによって構成され、本体外側シート２７Ｂは、不織布によって構成されてよい。トップシート２５及び第１コアラップシート２２Ａは、本発明の肌側シート３０を構成し、バックシート２７及び第２コアラップシート２２Ｂは、本発明の非肌側シート４０を構成してよい。
【００３１】
吸収性物品１は、就寝場所である暗所に対する着用者の抵抗を低減し、入眠への一連の流れを日々円滑に行い易く構成されている。次いで、入眠への一連の流れを円滑に行い易くするための構成について詳細に説明する。吸収性物品１は、暗所において表示される暗所表示部８０を備えている。一般に、室内の明るさは、月明りで約０．１〜１ルクス、豆電球で１０ルクス以下、リビング照明で４００〜５００ルクスである。よって、本発明における「暗所」は、豆電球による明るさの環境とし、具体的には１０ルクス以下の明るさの環境とする。暗所表示部８０は、吸収性物品１の非肌面に向けて配置されている。吸収性物品１の非肌面は、吸収性物品１が包装体によって包装された状態にあっては、包装体から取り出した状態で、着用者と反対側に配置される面である。ここで「吸収性物品の非肌面に向けて配置された」構成は、「吸収性物品の非肌面」自体に付された構成のみならず、吸収性物品の非肌面を構成する部材とは別の部材を介して、吸収性物品の非肌面を構成する部材に対向して配置された状態を含む。本実施の形態において、吸収性物品の非肌面を構成する部材は、第２外装シート５６と、本体外側シート２７Ｂと、を含む。
【００３２】
暗所表示部８０を有する吸収性物品１によれば、着用者は、暗所表示部８０を視認できる楽しみを得ることができ、暗所である就寝場所に対する抵抗が少なくなる。より詳細には、着用者は、暗所表示部８０を視認することを楽しみにとして、明るい状態の就寝場所に行った後に、就寝場所を暗所にすることを怖がり難くなったり、暗所表示部８０を視認することをご褒美であると考え、就寝場所に行くことを嫌がり難くなったりする。よって、着用者が入眠への一連の流れを日々円滑に行い易くなる。その結果、着用者の良質な睡眠を得やすくなり、また装着補助者の精神的及び身体的な負担を低減して、装着補助者のストレスを低減できる。
【００３３】
なお、良質な睡眠であるか否かの判断の一例として、メラトニンデータに基づく判断を例示でき、より詳細には、着用者の尿に含まれるメラトニンの分泌結果を検証することによって判断できる。メラトニンの分泌結果の検証は、例えば、以下の方法によって行うことができる。試験者が、実施例に係る吸収性物品（暗所表示部を有する吸収性物品）と、比較例に係る吸収性物品（暗所表示部を有しない吸収性物品）と、着用し、尿に含まれるメラトニンの分泌量を比較する。より詳細には、試験者は、第１週目（１日目から７日目）に比較例に係る吸収性物品を着用して就寝し、第２週目（８日目から１４日目）及び第３週目（１５日目から２１日目）に実施例に係る吸収性物品を着用して就寝する。すなわち、試験者は、連続して２１日間吸収性物品を着用して就寝する。起床時に吸収性物品を確認し、就寝中に尿をしていない日に、起床後の最初の尿を採取し、メラトニンの分泌量を測定する。尿の採取は、各週（第１週、第２週、及び第３週）において２回とし、合計６回の尿のメラトニンの分泌結果を取得する。１回目のメラトニンの分泌量と６回目のメラトニンの分泌量と差、及び１回目のメラトニンの分泌量に対する６回目のメラトニンの分泌量の変化率を検証する。本出願人が検証したところ、好適な結果（変化率が１６７％）を得ることができた。２１日間のうち、１４日に亘って暗所表示部を有する吸収性物品を着用することによって、円滑な入眠が促され、良好な睡眠を得た結果と推察できる。
【００３４】
暗所表示部８０は、吸収コア２１よりも非肌面側Ｔ２に配置されてよい。暗所表示部８０は、暗所において、吸収性物品の非肌面から視認可能に構成されてよい。なお、本発明における「暗所において視認可能」とは、１０ルクス以下の室内で約３０〜５０ｃｍの距離で、良好な視力（１．０以上）を両眼に有する被験者が対象物を見たときに視認できる事を意味している。暗所表示部８０は、暗所において視認可能であればよく、種々の構成を採用できる。一例として、暗所表示部８０の少なくとも一部には、蓄光剤が付されてよい。当該構成によれば、暗所表示部８０が暗所において発光し、着用者等が暗所表示部８０を認識できる。蓄光剤とは、太陽光や人工光などに含まれる紫外線や可視光といった所定の波長領域（第１波長領域）の励起光成分を吸収して、その励起光成分の照射後も所定の時間に亙って励起光成分より長波長である第２波長領域の燐光成分を放射するものであってよい。蓄光剤としては、亜鉛、カドミウム、カルシウム、マグネシウム、アルミニウム、イットリウム、ストロンチウムなどの金属酸化物、硫化物、又は珪酸塩若しくはタングステン酸塩などの無機塩が挙げられ、必要に応じてアルミニウム、マンガン、銀、銅、鉛、ビスマス、セリウム、ネオジム、サマリウム、ユウロピウム、ジスプロシウム、テルビウム、ツリウム、イッテルビウム、塩素などの賦活剤が加えられてよい。
【００３５】
他の例として、暗所表示部８０の少なくとも一部には、波長３１５−４００ｎｍの長波長の紫外線の照射によって蛍光する蛍光剤が付されてよい。波長３１５−４００ｎｍの長波長の紫外線は、いわゆるブラックライトである。本態様によれば、波長３１５−４００ｎｍの長波長の紫外線の照射によって暗所表示部８０が暗所において発光し、着用者等が暗所表示部８０を認識できる。また、暗所表示部８０の全体に蛍光剤が付されてよい。また、暗所表示部８０の全体に蓄光剤又は蛍光剤が付されてよい。蓄光剤又は蛍光剤は、暗所表示部８０を設ける部材（例えば、後処理テープ、外装シート）に塗布されていてもよいし、暗所表示部８０を設ける部材に練り込まれていてもよい。暗所表示部８０が蓄光剤又は蛍光剤を有する形態にあっては、暗所表示部８０は、暗所よりも明るい場所では目立ち難く、暗所において目立つ。そのため、着用者は、暗所に行くことによって今まで見えていなかった絵柄等を見られるため、突如出現する暗所表示部８０の楽しみがより高まる。
【００３６】
暗所表示部８０は、吸収性物品１において少なくとも一つ設けられてよく、複数設けられてよい。本実施の形態においては、第１暗所表示部８１、第２暗所表示部８２及び第３暗所表示部８３を説明する。しかし、吸収性物品１は、第１暗所表示部８１、第２暗所表示部８２及び第３暗所表示部８３の少なくともいずれかを有していればよい。なお、以下の説明において、単に暗所表示部８０としての説明は、第１暗所表示部８１、第２暗所表示部８２及び第３暗所表示部８３のいずれにも共通で採用できる構成の説明である。
【００３７】
第１暗所表示部８１は、吸収性物品１の廃棄時に吸収性物品１を丸めた状態で維持する後処理部材９０に設けられている。後処理部材９０は、吸収性物品１の最も非肌面に配置されており、着用者等の注意を引きやすい。また、後処理部材９０は、丸めた状態の吸収性物品１の形状を維持するために、一般的に剛性の高い資材によって構成されることが多い。当該剛性の高い資材からなる後処理部材９０に暗所表示部８０を設けることにより、暗所表示部８０の視認性を高めることができる。後処理部材９０は、周知の構成を採用することができ、例えば、特許第６２３６５６９に開示されたテープ部材とシール部材によって構成されてもよい。シール部材は、テープ部材に対して接着され、再接着可能な接着部を有している。当該シール部材に第１暗所表示部８１が設けられてよい。
【００３８】
暗所表示部８０は、吸収コア２１の非肌面又は非肌側シート４０に設けられてよい。当該構成によれば、吸収性物品１の非肌面側Ｔ２から暗所表示部を視認しやすい。着用者及び装着補助者は、吸収性物品１の装着操作中及び着用時に、暗所表示部８０をより視認し易い。第２暗所表示部８２は、前外装体５１の第２外装シート５６に設けられている。第２外装シート５８は、ミシン目を介して一部切り取り可能に構成されており、当該切り取り可能な領域に、第２暗所表示部８２が付されている。第３暗所表示部８３は、バックシート２７を構成する防漏シート２７Ａの非肌面に設けられている。第３暗所表示部８３は、吸収性物品１の非肌面側から本体外側シート２７Ｂを介して視認可能に構成されている。吸収性物品１を構成するシートにおいて比較的剛性の高い防漏シート２７Ａ（フィルム）に暗所表示部８０を設けることで、暗所表示部８０のたくれやよれを抑制し、暗所表示部８０の視認性を確保できる。
【００３９】
暗所表示部８０は、吸収コア２１と重なる領域に設けられてよい。暗所表示部８０の少なくとも一部が、吸収コア２１に重なっていてよく、暗所表示部８０の全域が、吸収コア２１に重なっていてもよい。吸収性物品１において比較的剛性が高い吸収コア２１と重なる領域に暗所表示部８０を設けることで、暗所表示部８０のたくれやよれを抑制し、暗所表示部８０の視認性を確保できる。
【００４０】
暗所表示部８０は、股下域Ｓ３の前後方向Ｌの股下中心Ｓ３ＣＬよりも前側に位置する前側域に配置されてよい。前側域は、股下中心Ｓ３ＣＬと、前胴回り域の前端縁Ｓ１Ｆと、の間の領域であり、着用者が着用時に視認し易い領域である。当該前側域に暗所表示部８０を設けることで、着用者は、特段意識しなくも着用状態で暗所表示部８０が視界に入るため、暗所表示部８０を視認し易い。本実施の形態では、第２暗所表示部８２が前側域に配置されている。変形例において、暗所表示部８０は、股下中心Ｓ３ＣＬよりも後側に位置する後側域に配置されてよい。後側域は、股下中心Ｓ３ＣＬと、後胴回り域の後端縁Ｓ２Ｒと、の間の領域である。本実施の形態では、第１暗所表示部８１及び第３暗所表示部８３が後側域に配置されている。
【００４１】
第１暗所表示部８１及び第２暗所表示部８２のように、暗所表示部８０は、吸収性物品１から分離可能であってよい。暗所表示部８０を吸収性物品１から分離することにより、吸収性物品１に着用した状態で暗所表示部８０を楽しむだけでなく、別の場所に暗所表示部８０を配置して暗所表示部８０を楽しむことも可能となる。具体的には、暗所表示部８０を収集する台紙等の取り付け部材１２０（図４（ｂ）参照）を提供し、当該取り付け部材１２０に暗所表示部８０に取り付けてもよい。取り付け部材１２０に暗所表示部８０を取り付けることにより、分離した暗所表示部８０を収集したり、暗所表示部８０を取り付けたりする楽しみを得ることができる。また、吸収性物品１の使用後に暗所表示部８０を収集して溜めていくこともできる。暗所における暗所表示部８０の視認性を楽しみ続けられる。また、特に乳幼児の着用者に対しては、一連の入眠への流れを持続した頑張りを実感させ易くなり、着用者の自信に繋がり、より安心して入眠への流れを行いやすくなる。暗所表示部８０の利用方法の選択肢が増え、着用者に適した方法で入眠への一連の流れを円滑に行い易くなる。なお、暗所表示部８０が吸収性物品１に対して分離可能な構成は、第１暗所表示部８１のようにシール部材の接着部を介して分離可能な構成のみならず、第２暗所表示部８２のように、吸収性物品１を構成する部材の一部がミシン目等の脆弱部を介して分離可能に構成されていてもよい。
【００４２】
暗所よりも明るい環境において、暗所表示部８０と、暗所表示部８０の周囲に配置された周囲領域８５と、の色差ΔＥは、２０．０以下であってよい。ここで、暗所よりも明るい環境は、１０ルクスよりも高い環境である。周囲領域８５は、平面視にて暗所表示部８０の周りに配置された領域であり、暗所表示部８０に隣接する領域であってよい。後述の実施例のように、出願が鋭意研究を行った結果、２つの領域の色差ΔＥが２０．０以下の場合、同色と認識され易く、２つの領域の色差ΔＥが１２．０以下の場合、同色とより認識され易いことがわかった。また、２つの領域の色差ΔＥが２０．０よりも大きい場合、同色として認識せずに、異なる色の領域と認識され易いことがわかった。暗所よりも明るい環境において、暗所表示部と周囲領域の色差が２０以下であるため、着用者等は、暗所表示部と周囲領域を別々の領域として認識せずに、暗所表示部と周囲領域を一体化して認識し易い。そのため、暗所において、暗所表示部がいきなり現れたような心証を得ることができ、暗所表示部に対する興味や楽しみをより高めることができる。なお、色差ΔＥは、測定対象となる２点（２つの領域）について市販の測色器を用いて測色を行い、ＪＩＳ Ｚ 8729に規定されるＣＩＥ１９７６（L*a*b*）色空間に基づいて数値化した値を比較することによって求めることができる。具体的に、測定対象たる２点間のL*値の差がΔL*、a*の差がΔa*、b*値の差がΔb*であるときに、色差ΔＥ＝[(ΔL*)2＋(Δa*)2＋(Δb*)2]1/2によって求められる。また、暗所よりも明るい環境において、暗所表示部を目立ち難くする構成として、周囲領域の色は、白色であってよい。当該構成によれば、暗所表示部が周囲領域の白色に同化し易く、暗所において暗所表示部がいきなり現れたような心証を得ることができる。
【００４３】
次いで、パッケージ１００について説明する。図４（ａ）は、パッケージ１００を示した図であり、図４（ｂ）は、変形例にかかる取り付け部材を示した図である。パッケージ１００は、複数の吸収性物品１と、吸収性物品１を複数収容した収容体１１０と、を少なくとも含み、取り付け部材１２０を有してもよい。収容体１１０は、フィルム等のシートによって構成されてよく、吸収性物品１を出し入れする開口を形成するための脆弱部（例えば、ミシン目）を有する。収容体１１０は、暗所において表示される収容暗所表示部１１５を有してよい。収容暗所表示部１１５は、収容体１１０の外面に配置されてよい。本態様によれば、収容体１１０を就寝場所においておくことで、収容暗所表示部１１５による楽しみを得ることができる。
【００４４】
好適には、収容暗所表示部１１５は、吸収性物品１の暗所表示部８０と関連する図柄を有してよい。収容暗所表示部１１５と暗所表示部８０が関連する図柄であるため、それぞれ独立した装飾効果のみならず、相乗的な装飾効果を発揮したり、同一の世界観を表現したり、着用者がより楽しみやすい。ここで、本発明において「関連する図柄」は、例えば、概念が関連する図柄、形状が関連する図柄を例示できる。概念が関連する図柄は、共通の概念を想起させる図柄である。例えば、「夜」を想起させる月、星、夜景、照明、寝具を関連図柄に含めることができ、「自然」を想起させる花、草、木、空を関連図柄に含めることができる。また、形状が関連する図柄は、見た目の統一感を得ることができる図柄である。例えば、三角形、四角形、五角形等の多角形を関連図柄に含めることができ、相似形を関連図柄に含めることができる。また、本発明において「図柄」は、絵、図形のみならず、文字、記号、数字を含む概念である。
【００４５】
収容暗所表示部１１５と暗所表示部８０は、視認性を異ならせてもよい。例えば、収容暗所表示部１１５の発光度と、暗所表示部８０の発光度と、を異ならせてもよい。当該構成によれば、着用者の楽しみがより高まり、着用者が入眠への一連の流れを日々円滑に行い易くなる。収容暗所表示部１１５は、収容体１１０から分離可能に構成されてよく、暗所表示部８０と共に取り付け部材１２０に取り付け可能に構成されていてもよい。
【００４６】
取り付け部材１２０は、分離された暗所表示部８０を取り付け可能に構成されてよく、収容暗所表示部１１５も取り付け可能に構成されてよい。取り付け部材１２０に暗所表示部８０等を取り付ける形態にあっては、暗所表示部８０等に取り付け部材に取り付け可能な接合手段（例えば、接着剤）を設けてもよいし、取り付け部材１２０側に暗所表示部８０等を取り付けるための手段（ポケット、切り込み）を設けてもよい。取り付け部材１２０は、図４（ａ）に示すように、収容体１１０の一部であってもよいし、図４（ｂ）に示すように、吸収性物品１及び収容体１１０とは別体で設けられていてもよいし。収容体１１０の一部が取り付け部材１２０を構成することにより、着用者は、日々の吸収性物品１の交換時に、取り付け部材１２０を視認したり、取り付け部材１２０に暗所表示部８０を取り付けたりできる。また、別体の取り付け部材１２０によれば、着用者等は、収容体１１０を廃棄する際等、収容体１１０の使用に影響されずに取り付け部材を保管しておくことができ、暗所表示部８０等による楽しみ方の多様性を高めることができる。
【００４７】
複数の吸収性物品１は、第１吸収性物品１Ｘと、第２吸収性物品１Ｙと、を有してよい。第１吸収性物品１Ｘの暗所表示部８０の図柄と、第２吸収性物品１Ｙの暗所表示部８０の図柄と、は異なってよい。具体的には、第１吸収性物品１Ｘの暗所表示部８０は、星柄であり、第２吸収性物品１Ｙの暗所表示部８０は、月柄である。なお、各暗所表示部８０が複数の図柄を有する形態にあっては、少なくとも一の図柄が異なっていればよい。複数の図柄を有することにより、着用者は暗所表示部８０に飽きずに興味を持ち続け易くなり、毎日の入眠への流れを繰り返し行い易くなる。
【００４８】
暗所表示部８０は、取り付け部材１２０と関連する図柄を有してよい。同様に、収容暗所表示部１１５は、取り付け部材１２０と関連する図柄を有してよい。換言すると、取り付け部材１２０は、暗所表示部８０と関連する図柄を備えてよく、収容暗所表示部１１５と関連する図柄を備えてよい。互いに関連する図柄であるため、それぞれ独立した装飾効果のみならず、相乗的な装飾効果を発揮したり、同一の世界観を表現したり、着用者がより楽しみやすい。
【００４９】
図２に示すように、吸収性物品１は、暗所表示部８０の塗料と異なる塗料を有する通常表示部１３０を有してよい。また、図４に示すように、収容体１１０は、収容暗所表示部１１５の塗料と異なる塗料を有する通常表示部１３０を有してよい。通常表示１３０部は、暗所表示部８０等の塗料と異なり、蛍光剤及び蓄光剤を含まない塗料によって構成されている。暗所表示部８０及び収容暗所表示部１１５は、通常表示部１３０の図柄と関連性のある図柄を含んでよい。通常表示部１３０は、暗所表示部８０等と異なる塗料を有しており、暗所表示部８０等と視認性（例えば、発光度）が異なる。そのため、着用者等は、異なる視認性の通常表示部１３０と暗所表示部８０等によって楽しみを得ることができる。例えば、暗所においては、暗所表示部８０等を視認し、暗所以外の場所では、通常表示部１３０を視認して楽しみを得たり、通常表示部１３０と暗所表示部８０等の両方が見える環境にあっては、図柄の組み合わせによって飽きずに楽しんだりできる。
【００５０】
（３）官能評価
次いで、２つの領域が同色であるか否かの評価について説明する。実施例１、実施例２、比較例１、及び比較例２に係るサンプルを用いて、同色であるか否かの評価を行った。各サンプルの色差は、サンプルの非肌面から測定機器を当てて測定した。評価は、第１領域と第２領域を有する吸収性物品を非肌面側から視認し、６人の試験者が第１領域と第２領域を同色に見えるか否かを評価した。試験者１から３は、男性であり、試験者４から６は女性である。評価は、昼白色（色温度目安 ４６００〜５４００ Ｋ（ケルビン））で明るく照明された室内(目安：５００〜７５０ ｌｘ（ルクス））で約３０〜５０ｃｍの距離で、良好な視力（１．０以上）を両眼に有する６人の被験者が３段階で評価した。同色と認識した場合は、評価「〇」として、かろうじて同色と判断した場合は、評価「△」とし、同色でないと判断した場合は、評価「×」とした。評価結果を表１に示す。表１に示すように、実施例１、及び実施例２及び実施例３において、同色と判断できるため、色差ΔＥは、２０．０以下であってよいことがわかった。また、色差ΔＥが１２．０以下であると明確に同色として認定されることがわかり、より好適には、色差ΔＥが１２．０以下であってよい。
【表１】
0006971424.tif 000002
【００５１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００５２】
１                  ：吸収性物品
２１                ：吸収コア
３０                ：肌側シート
４０                ：非肌側シート
８０、８１，８２，８３：暗所表示部
９０                ：後処理部材
１００              ：パッケージ
１１０              ：収容体
１１５              ：収容暗所表示部
１２０              ：取り付け部材
１３０              ：通常表示部
Ｔ                  ：厚さ方向
Ｔ１                ：肌面側
Ｔ２                ：非肌面側
【要約】
【課題】就寝場所である暗所に対する着用者の抵抗を低減し、入眠への一連の流れを日々円滑に行い易い吸収性物品を提供する。
【解決手段】
吸収性物品（１）は、吸収コア（２１）、吸収コアよりも肌面側に配置された肌側シート（３０）、及び吸収コアよりも非肌面側に配置された非肌側シート（４０）を有する。吸収性物品は、吸収性物品の非肌面に向けて配置され、暗所において表示される暗所表示部（８０）を有する。暗所表示部の少なくとも一部には、蓄光剤が付されている。または、暗所表示部の少なくとも一部には、波長３１５−４００ｎｍの長波長の紫外線の照射によって蛍光する蛍光剤が付されている。
【選択図】図２【図１】
0006971424.tif 000003
【図２】
0006971424.tif 000004
【図３】
0006971424.tif 000005
【図４】
0006971424.tif 000006